(57)【特許請求の範囲】
【請求項１】
外引き出しと、
前記外引き出しの内側に設けられた内引き出しと、
前記外引き出しと前記内引き出しの引き出し動作を連動させる連動機構を備え、
前記外引き出しを一定距離引き出したところで、前記連動機構が連動を開始して前記外引き出しと前記内引き出しが連動して引き出され、
かつ、前記内引き出しは、前記連動が解除された後に、前記外引き出しとは独立して押し入れ可能であり、
前記連動機構は、連動を開始した後に、さらに前記外引き出しを所定量引き出して前記内引き出しを途中まで引き出した位置で前記連動を解除して、前記外引き出しおよび内引き出しをそれぞれさらに引き出し可能にしたことを特徴とする引き出し付きキャビネット。
【請求項２】
前記内引き出しが前記外引き出しに対して、高さを変更する高さ変更手段を備えることを特徴とする請求項１に記載の引き出し付きキャビネット。
【請求項３】
前記連動機構は、前記内引き出しを連動させる場合と連動させない場合を選択できる連動選択機構を備えることを特徴とする請求項１又は２に記載の引き出し付きキャビネット。
【請求項４】
前記連動機構が、前記外引き出しと連動する第一連動部と、該第一連動部に従動しかつ前記内引き出しと連動する第二連動部と、を備え、かつ前記第一連動部および第二連動部は、前記外引き出しおよび内引き出しを納めるキャビネット側に固定されていることを特徴とする請求項１から３の何れか１項に記載の引き出し付きキャビネット。
【発明の詳細な説明】
【技術分野】
【０００１】
本発明は、複数個の引き出しを同時に引き出す連動機構を用いた引き出し付きキャビネットに係り、特に連動する引き出しの操作力を軽減するのに好適な連動機構を用いた引き出し付きキャビネットに関する発明である。
【背景技術】
【０００２】
従来、引き出しの上部空間を有効に利用しようと、引き出し上部空間に内引き出しを備えたキャビネットが知られているが、内引き出しを開けるためには、外引き出しを引き出した後に内引き出しを引き出すといった２つの動作が必要であり、その使い勝手は良いものではなかった。そこで内引き出しを外引き出しと同時に引き出す連動機構が知られている。（例えば、特許文献１参照。）。 
特許文献１では、内引き出しの背板と外引き出しの背板をマグネットで連結させる構造が開示されている。しかしこの構造では、外引き出しと内引出しを同時に引き始めるために、その引き出し操作が重いという問題がある。特に近年主流となってきたソフトクローズ機能付きレールでは、引き始めにバネの抗力に逆らって動かす必要があり、引き始めの操作がさらに重くなるという問題がある。
ここでいうソフトクローズ機能とは、キッチンや洗面化粧台に取り付けられる引き出しのレールに搭載される機能であって、引き出しを閉じる時に全閉直前でゆっくり確実に閉まる機能である。このソフトクローズ機能付きレールの機構は、閉まる直前にバネに貯まったエネルギーで引き込みつつ、ダンパーでゆっくり閉めるものが一般的である。バネにエネルギーを貯めるためには、引き出しの引き始めにバネの抗力に逆らってバネを伸ばす必要があり、そのために引き始めの操作力が重くなるという課題が存在していた。
【先行技術文献】
【特許文献】
【０００３】
【特許文献１】特開２００９−０９５５４４号公報
【発明の概要】
【発明が解決しようとする課題】
【０００４】
本発明は、上記問題を解決するためになされたもので、本発明の課題は、複数の引き出しを連動させて開ける時に、引き始めの重さを緩和させる引き出し連動機構を用いた引き出し付きキャビネットである。
【課題を解決するための手段】
【０００５】
上記目的を達成するために請求項１記載の発明によれば、外引き出しと、前記外引き出しの内側に設けられた内引き出しと、前記外引き出しと前記内引き出しの引き出し動作を連動させる連動機構を備え、前記外引き出しを一定距離引き出したところで、前記連動機構が連動を開始して前記外引き出しと前記内引き出しが連動して引き出され、かつ、前記内引き出しは、前記連動が解除された後に、前記外引き出しとは独立して押し入れ可能であり、前記連動機構は、連動を開始した後に、さらに前記外引き出しを所定量引き出して前記内引き出しを途中まで引き出した位置で前記連動を解除して、前記外引き出しおよび内引き出しをそれぞれさらに引き出し可能にしたことを特徴とすることにより、外引き出しを一定距離だけ引き出し、外引き出しの引き始めの重さを解消した後に内引き出しを連動させて引き出すことができる。また内引き出しを遅れて連動させることで、外引き出しと内引き出しの収納物を一度に見渡すことができ使い勝手が良い。さらに内引き出しは外引き出しと無関係に押し入れることができるため、外引き出しの収納物を取り出す場合に使い勝手が良くなる。
【０００６】
また、前記連動を開始した後に、さらに前記外引き出しを所定量引き出して前記内引き出しを途中まで引き出した位置で、前記連動機構が解除されることを特徴とすることにより、連動機構動作後に、外引き出しと内引き出しを所定量引き出すことで、内引き出しの引き出し量を所定量確保でき、内引き出しを直接操作することなく内引き出しの収納物を出し入れすることができ使い勝手が良い。また所定量引き出した後に解除されることで、そこからは使用者によって外引き出しをさらに引き出して外引き出し内の収納物を出し入れすることもでき使い勝手が良くなる。
【０００７】
また、請求項２記載の発明によれば、前記内引き出しが前記外引き出しに対して、高さを変更する高さ変更手段を備えることを特徴とすることにより、外引き出し、および内引き出しの高さ方向の収納空間を変更できるため、使用者の収納物に合わせて収納空間を設定できるため使い勝手が良くなる。
【０００８】
また、請求項３記載の発明によれば、前記連動機構は、前記内引き出しを連動させる場合と連動させない場合を選択できる連動選択機構を備えることを特徴とすることにより、外引き出しの使用頻度が高い場合は連動選択機構によって連動をしない場合に設定でき、使用者の利用状況によって引き出しの開口を選択できるため使い勝手が良くなる。
【０００９】
また、請求項４記載の発明によれば、前記連動機構が、前記外引き出しと連動する第一連動部と、該第一連動部に従動しかつ前記内引き出しと連動する第二連動部と、を備え、かつ前記第一連動部および第二連動部は、前記外引き出しおよび内引き出しを納めるキャビネット側に固定されていることを特徴とすることによって、外引き出しまたは内引き出しをキャビネットから取り外す際に、引き出しに付属する連動機構を少なくすることができ、言い換えればキャビネットの外に取り出す連動機構を少なくすることで、連動機構が破損する確率を少なくすることができる。
【発明の効果】
【００１０】
本発明によれば、複数の引き出しを連動させて開ける時に、引き始めの重さを緩和させるという効果があり、さらには使用者に使い勝手の良い引き出しを提供することができる。
【図面の簡単な説明】
【００１１】
【図１】本発明の引き出し付きキャビネットを示す全体構成斜視図である。
【図２】本発明の内引き出しの高さ可変機構の構造を示す部分分解図である。
【図３】本発明の連動機構周辺（図１のＡ部）を示す詳細図である。
【図４】図３のＢ部を示す詳細図である。
【図５】本発明の連動機構周辺を示す詳細図である。
【図６】従来の引き出しおよび本発明の連動引き出しの操作力を示す操作力−開口距離線図である。
【図７】（Ａ）〜（Ｇ）本発明の連動引き出しの開口操作状況を示す簡略図である。
【図８】（Ａ）〜（Ｃ）本発明のラック送りピン周辺の開口時の動きを示す斜視図である。
【図９】本発明の連動引き出しの閉口操作状況を示す簡略図である。
【図１０】本発明のラック送りピン周辺の閉口時の動きを示す斜視図である。
【図１１】本発明の内取っ手の第二の実施例を示す斜視図である。
【発明を実施するための形態】
【実施例】
【００１２】
以下、本発明の実施形態を、図を用いて説明する。
図１は本発明の引き出し付きキャビネットの構造を示す透明斜視図である。
引き出し付きキャビネットは、前面が開口したキャビネット１００と、その開口部を塞ぐ前板を備えた上段引き出し２００および外引き出し４００と、外引き出し４００の上方空間に位置する内引き出し３００を備えている。また、上段引き出し２００と外引き出し４００はスライドレール（図では省略）によってキャビネット１００に対し前後方向スライド自在に構成されており、内引き出し３００はスライドレール３０５によって、キャビネット１００に対し前後方向スライド自在に構成されている。さらに、内引き出し３００は連動機構５００によって、外引き出し４００を引き出すことで内引き出し３００も引き出される構造となっている。これにより、外引き出し４００を引き出すだけで、内引き出し３００を個別に引き出す必要がなくなり、使い勝手が向上する。
なお、ここで挙げたスライドレールはいずれもソフトクローズ機構を有し、その閉止動作の終端ではブレーキがかかる構造となっている。
【００１３】
キャビネット１００は、２枚のキャビネット側板１０１と、キャビネット裏板１０２と、天板（透視図のため図示せず）と、キャビネット底板１０４で形成され、前方が開口している。
外引き出し４００は、キャビネット開口部の一部をふさぐ外化粧板４０１と、左右の外サイドパネル４０２と、外底板４０３と、外背板４０４と、外サイドパネル４０２の上方で両端を外化粧板４０１と外背板４０４に固定した左右の外ギャラリーバー４０５と、で構成される。
内引き出し３００は、内前板３０１と、内サイドパネル３０２と、内底板３０３（図示せず）と、内背板３０４とで構成される。また、内前板３０１は外化粧板４０１より常に１００ｍｍ程度オフセットされるように内取っ手３０６が取り付けられ、この空間に背の高い一升瓶などを収納できるスペースを確保している。
【００１４】
また、内引き出しは高さを変えることができる構造を有しており、その詳細分解を図２に示す。スライドレール３０５には、内サイドパネル３０１側に突き出した引っ掛けピン３０７がビス３０８により固定されている。一方、内サイドパネル３０１には、波状の溝３０９が形成されており、溝３０９の５か所には袋小路状に形成された袋小路部３１０が形成されている。この袋小路部３１０が引っ掛けピン３０７に引っ掛かることで内引き出し３００を所定高さに維持することができ、この袋小路部３１０が引っ掛けピン３０７に引っ掛かる高さを変更することで、内引き出し３００の高さを変更することができる。よって、使用者の収納物に合わせて高さを変更することで収納性の良い引き出しとなる。
【００１５】
連動機構５００周辺（図１中のＡ部）の詳細を図３に示す。説明のため、一部透明図としている。
連動機構５００は、外ギャラリーバー４０５に取り付けられた下側ラック５０１と、この下側ラック５０１と噛み合う下側ギア５０２と、この下側ギア５０２と噛み合う上側ギア５２０と、さらにこの上側ギア５２０と噛み合いスライドレール３０５に取り付けられた上側ラック５０４と、下側ギア５０２と上側ギア５２０とが回動自在に取り付けられたギアプレート５０７と、ギアプレート５０７に取り付け可能で下側ギア５０２と上側ギア５２０を覆うギアカバー５０８と、図中Ｂ部を拡大した図４に示すように、上側ラック５０４に回動自在に備え付けられたラック送りピン５０５と、ラック送りピン５０５を図４の位置から反時計方向に回転するのを抑制するストッパー５０６と、で構成される。ギアプレート５０７は、キャビネット側板１０１に固定されている。よって、連動機構部のほとんどは引き出しと切り離されているため、引き出しを取り外しても余計な突起物がなく施工時の破損を防ぐことができる。
また、上側ギア５２０には円周上に並んだ複数の突起部５２１が形成されている。
【００１６】
図５は、連動機構５００周辺の拡大図であり、特にギアやラックやラック送りピンなどの相対位置が分かりやすいように表したものである。
下側ラック５０１と下側ギア５０２と上側ギア５２０と上側ラック５０４とは、各歯が噛み合うように略垂直方向に並んでいる。その少し外側にラック送りピン５０５と上側ラック５２０の突起部５２１とが噛み合うように並んでいる。このラックとギアの組み合わせ、およびラック送りピンと突起部の組み合わせによって外引き出しと内引き出しを連動させることができる。
ここで、連動機構５００は、内引き出しを連動させないことも可能である。内引き出しを連動させない場合は、下側ラック５０１を取り付けている外ギャラリーバー４０５を円周方向に９０度回転させることで、下側ラック５０１が下側ギア５０２と噛み合わないように設定する。こうすることで、外引き出しの使用頻度が高い場合には、外引き出しだけを引き出すことができ、内引き出しを使用する場合は、内引き出しの内取っ手を掴んで引き出すことができる。
【００１７】
次に、外引き出しと内引き出しとが連動機構によって動く様子を図７および図８で説明する。
図７は開口操作の動きを示したものである。
図７（Ａ）は、外引き出し４００、内引き出し３００とも全閉状態の位置を表している。この状態では、下側ラック５０１が下側ギア５０２より後方に位置しており、両者が噛み合っていない。また上側ラック５０４も上側ギア５２０より後方に位置しており、両者が噛み合っていない。
なお、ここでは、全閉状態において内引き出し３００の内前板３０１は、外引き出し４００の前化粧板４０１より約１００ｍｍ程度後退しており、この空間を確保することによって、例えば一升瓶のような背の高い収納物を収納することができる。
図７（Ｂ）に、全閉状態から、略５０ｍｍ外引き出し４００を引き出したところの模式図を示す。外引き出し４００のスライドレールがソフトクローズ機構のバネから切り離され、同時に初めて下側ラック５０１が下側ギア５０２と噛み合い始め、下側ギア５０２が反時計方向に回転することで上側ギア５２０が時計方向に回転を始める。
【００１８】
この段階における上側ギア５２０と上側ラック５０４の拡大図を図８に示す。図８（Ａ）は、上側ギア５２０が時計方向に回転し始めたところであり、上側ギア５２０と上側ラック５０４とは噛み合っていない。ここから上側ギア５２０がさらに時計方向に回転すると図８（Ｂ）となる。図８（Ｂ）では、上側ギア５２０から突き出した突起部５２１の一つがラック送りピン５０５と当接することで、ラック送りピン５０５は前方に押し出されるように回転しようとするが、ストッパー５０６によって回転を抑制されるため、ラック送りピン５０５は回転できないまま前方に押し出される。この動きによってラック送りピン５０５を固定している上側ラック５０４が前方に押し出される。
【００１９】
図８（Ｃ）にラック送りピン５０５および上側ラック５０４が前方に押し出され、上側ギア５２０と上側ラック５０４が噛み合い始めた状態の模式図を示す。この状態になると、ここからは上側ギア５２０と上側ラック５０４との噛み合いによって上側ラック５０４は前方に押し出される。つまり上側ラック５０４と一体の内引き出し３００が前方に押し出される。
【００２０】
図７（Ｃ）は、下側ラック５０１、下側ギア５０２、上側ギア５２０、上側ラック５０４がそれぞれ噛み合っている状態を示した模式図である。外引き出し４００を前方に移動すると、外引き出し４００と一体の下側ラック５０１が前方に移動し、これと噛み合った下側ギア５０２が反時計方向に回転し、さらに上側ギア５２０は時計方向に回転し、上側ラック５０４が前方に押し出されることで内引き出し３００が開方向に移動する。なお、この時、上側ラック５０４と下側ラック５０１は同じ送り量となるため、外引き出し４００と内引き出し３００は同じ速度で引き出されることとなる。外引き出し４００と内引き出し３００のどちらかだけが、止まったりすることなく開操作をすることができる。
図７（Ｄ）に、外引き出し４００を略半分まで開口した状態の模式図を示す。ここまで開口すると下側ラック５０１は下側ギア５０２を通り過ぎて噛み合わなくなる。よって下側ラック５０１と下側ギア５０２が切り離されることで、外引き出し４００と内引き出し３００の連動が切り離される。
そこからさらに外引き出し４００だけを引き出した状態の模式図を図７（Ｅ）に示す。この状態になると、外引き出し４００および内引き出し３００の両方を一度に見渡すことができ、収納物の一覧性が向上する。つまり、忘れがちな収納物を一目で見渡すことができ、使用者の使い勝手が向上する。
また、内引き出し３００をさらに引き出した場合の模式図を図７（Ｆ）に示す。内引き出し３００の内取っ手３０６をつかんで、この状態まで引き出すことで内引き出し３００の収納物を容易に取り出すことができる。
さらに、内引き出し３００だけを押し込んだ場合の模式図を図７（Ｇ）に示す。内引き出し３００の内前板３０１が、外引き出し４００の外背板４０４より後方に位置するまで内引き出し３００を押し込むことで、外引き出し４００内の収納物を容易に取り出すことができる。
【００２１】
図６にソフトクローズ機構を有するスライドレールの操作力を示す。なお、各線の重なっている部分は、表示を見やすくするため少しずらしている。
図６の横軸は全閉状態からの引き出しの開口距離であり、縦軸はその時点の操作力を示している。なお、ここではゆっくりと引き出した場合、つまり引き出しの開口速度が遅い場合を示している。一点鎖線で示したものが内引き出しを備えていない、外引き出し一つ分の操作力である。全閉から５０ｍｍまではソフトクローズ機構のバネをひき伸ばすために操作力が徐々に重くなり、バネの引きのばし量に比例して操作力が大きくなっている。５０ｍｍのところでバネと切り離されるため、急に操作力が軽くなり、その後はレールの摺動性による操作力となる。このようにソフトクローズ機構付きのレールの場合、その機能上引き始めから５０ｍｍ程度までの初期において、大きな操作力が必要となる。
【００２２】
グラフ上の実線が、本発明の実施例における連動機構の全閉から開口時の操作力を示したグラフである。また点線が、従来技術のように内引き出しと外引き出しが同時に引き出される場合の操作力である。一点鎖線は前述のとおり、内引き出しを備えていない、外引き出し一つ分の操作力である。
従来技術のように内引き出しと外引き出しが同時に引き出される場合、内引き出しと外引き出しが備えるソフトクローズ機構のバネを同時に引き延ばす必要があるため、引き始めから５０ｍｍ程度までの初期において、内引き出しを備えていない外引き出し一つ分の操作力の二倍程度の操作力が必要となることが分かる。
次に、本発明の実施例における操作力の変化に着目してみると、本発明の実施例における操作力（実線）のピーク値は従来品（点線）の約１／２程度まで低減しており、引き出し一つ分の操作力（一点鎖線）に近いことが分かる。これは、引き始めにおいては外引き出しが備えるソフトクローズ機構のみを引き延ばせばよいためである。よって、内引き出し付きのキャビネットであっても従来の一段引き出しと同程度の操作力で引き出すことが出来る使い勝手の良い引き出しとなる。
【００２３】
引き出しを開いた状態から全閉状態になるまでの動きを説明する。基本的には外引き出し４００を押し込むと、内引き出し３００の内取っ手３０６に外引き出し４００の外化粧板４０１の裏面が当接し、そのまま外引き出し４００をさらに押し込むと内引き出し３００も押し込まれる。
その後、下側ラック５０１と下側ギア５０２さらには上側ラック５０４と下側ギア５２０が噛み合うと、ギアによって外引き出しと内引き出しが連動して押し込まれる。最後５０ｍｍでは、下側ラック５０１と下側ギア５０２が噛み合わないが、ソフトクローズ機構によって外引き出し４００は全閉状態まで閉まる。また内引き出し３００側も上側ラック５０４と上側ギア５２０が噛み合わないところがあるが、ここもソフトクローズ機構によって、全閉状態まで閉まりきることができる。
【００２４】
なお、図９のように内引き出し３００だけ先に閉状態となる場合があるが、この場合は、図１０のように、下側ラック５０１と下側ギア５０２が噛み合い上側ギア５２０が反時計方向に回転する。しかし上側ギア５２０と上側ラック５０４はすでに噛み合っていないため、内引き出し３００が移動することはない。また上側ギア５２０の突起部５２１とラック送りピン５０５については、図１０のように、ラック送りピン５０５が時計回りに回動し、上側ギア５２０の突起部５２１から逃げる。よって上側ギア５２０が閉方向に回転しても干渉して引っ掛かることがない。
【００２５】
以上の本実施例に示したように、本発明の引き出し付きキャビネットにおいては、内引き出しを外引き出しと連動させることで、内引き出しの使い勝手を向上するとともに、その連動操作においては、外引き出しを一定距離だけ引き出した後に内引き出しの連動が始まる構造とすることで、引き出しの引き始めの操作力を軽減させることができる。
また、上記のとおり内引き出しの連動を遅らせることで、引き出しが開口した時点で外引き出しと内引き出しを一度に見渡すことができる。
さらに、外引き出しと内引き出しを一定距離連動させた後に連動を解除することで、解除後は外引き出しと内気引き出しを自由に出し入れできるので、内引き出しや外引き出しの収納物を出し入れし易くなる。
さらに、内引き出しの高さを可変できる構造とすることで、外引き出しと内引き出しの収納空間を使用者に合わせて変更でき、使い勝手が良くなる。
さらに連動機構は、内引き出しを連動させる場合と連動させない場合を選択できる構造とすることで、外引き出しの使用頻度が高い場合は連動をしない設定にでき、使用者の利用状況によって引き出しの開口を選択できるため使い勝手が良くなる。
さらに、連動機構の主要部分をキャビネット側に固定することで、引き出しを取り外しても余計な突起物がなく施工時の破損を防ぐことができる。
【００２６】
内引き出しを外引き出しから遅らせて連動させる機構は上記に限らない。例えば、上側ギアまたは下側ギアの軸にワンウェイクラッチを介在させることで、ラック送りピンや突起部を簡略することができる。さらに上側ギアのギア比を下側ギアに比べて小さくする構造とすれば、図６の実線の二つ目の山のピーク値を小さくすることも可能である。
さらに、内引き出しが連動するタイミングは、外引き出しのソフトクローズが解除された後であれば、構わない。内引き出しと外引き出しの収納物の使用頻度や大きさによって、連動のタイミングを決め、使い勝手の良い開口距離とすることが望ましい。
さらに、全閉状態において、内引き出しの内前板が外引き出しの外化粧板の裏面とほぼ当接する位置になるまで内引き出しを大きくしても構わない。こうすることで一升瓶のような背の高い収納物が無い場合は、内引き出しを大きく取ることで収納空間を最大限に生かすことができる。また、内引き出しの内取っ手を除くこともできる。
さらに、内引き出しの内取っ手を図１１のようにしても構わない。板状の内取っ手３０６ｂは内前板３０１に上端と下端に引っ掛けるようにして、水平方向の任意の位置に固定する。こうすることで外引き出しの手前側の背の高い収納物の空間を確保するとともに、その収納物と干渉しない位置に内取っ手３０６ｂを設定することができる。このような内取っ手の場合、図７（Ｄ）の状態において、外引き出しの手前側に収納している背の高い収納物を内取っ手３０６ｂに干渉することなく容易に取り出すことができる。
【符号の説明】
【００２７】
１００…キャビネット
１０１…キャビネット側板
１０２…キャビネット裏板
１０４…キャビネット底板
２００…上段引き出し
３００…内引き出し
３０１…内前板
３０２…内サイドパネル
３０３…内底板
３０４…内背板
３０５…スライドレール
３０６…内取っ手
３０６ｂ…内取っ手
３０７…引っ掛けピン
３０８…ビス
３０９…溝
３１０…袋小路部
４００…外引き出し
４０１…外化粧板
４０２…外サイドパネル
４０３…外底板
４０４…外背板
４０５…外ギャラリーバー
５００…連動機構
５０１…下側ラック
５０２…下側ギア
５０４…上側ラック
５０５…ラック送りピン
５０６…ストッパー
５０７…ギアプレート
５０８…ギアカバー
５２０…上側ギア
５２１…突起部
【図１】
0005590500.tif 000002
【図２】
0005590500.tif 000003
【図３】
0005590500.tif 000004
【図４】
0005590500.tif 000005
【図５】
0005590500.tif 000006
【図６】
0005590500.tif 000007
【図７】
0005590500.tif 000008
【図８】
0005590500.tif 000009
【図９】
0005590500.tif 000010
【図１０】
0005590500.tif 000011
【図１１】
0005590500.tif 000012